(57)【要約】      （修正有）【課題】左右の建物間に設置でき、異なる前後左右方向に建物が揺れ動いても、スムーズなスライド移動で揺れ動きを吸収し、損傷を防止する。【解決手段】左右の建物の目地部側の壁躯体に前後方向に回動可能なヒンジ部材7を介して中央維持リンク１２と、中央枢支部１１に枢支された支柱１４と、支柱１４と左右の壁躯体の中央部に位置する複数個の可動目地プレート支持レール１５，１６と、左外方へスライド移動可能な左の可動目地プレート２２と、右外方へスライド移動可能にな右の可動目地プレート２３と、地震等で目地部が広くなると左右の可動目地プレート２２，２３を外方へ引き出すことができる左右の固定目地プレート２５，２６と、左右の可動目地プレート支持レール１５，１６に支持台２７を介して中央部が固定された両端部が左右の固定目地プレート２５，２６の先端部と重なり合うように覆う中央目地プレート２８とで壁用目地装置１を構成している。【選択図】図３
2005220550.tif 000002
【特許請求の範囲】
【請求項１】
両端部が目地部を介して設置された左右の建物の目地部側の壁躯体に、前後方向に回動可能なヒンジ部材を介して、少なくとも２個以上並列するように取付けられた中央枢支部が常時前記目地部の中央部に位置する伸縮可能な中央維持リンクと、この少なくとも２個以上の中央維持リンクの外側面側に位置するように中央枢支部に枢支された支柱と、この支柱に水平状態で固定された先端部が、該支柱と前記左右の壁躯体のほぼ中央部に位置する複数個の左右の可動目地プレート支持レールと、この複数個の左の可動目地プレート支持レールに左外方へスライド移動可能に取付けられた左の可動目地プレートと、前記複数個の右の可動目地プレート支持レールに右外方へスライド移動可能に取付けられた右の可動目地プレートと、前記ヒンジ部材あるいは前記中央維持リンクの両端部の枢支部に取付けられた先端部が、前記左右の可動目地プレートの外側端部と重なるように覆い、地震等で目地部が広くなると、該左右の可動目地プレートを外方へ引き出すことができる左右の固定目地プレートと、前記支柱あるいは該支柱部位の前記左右の可動目地プレート支持レールに支持台を介してほぼ中央部が固定された両端部が前記左右の固定目地プレートの先端部と重なり合うように覆う中央目地プレートとからなることを特徴とする壁用目地装置。
【請求項２】
目地部を介して設置された左右の建物の目地部側の壁躯体に垂直方向に取付けられた、先端部材が前後方向に回動可能な左右のヒンジ部材と、この左右のヒンジ部材の先端部材に両端部が取付けられた中央枢支部が、常時前記目地部の中央部に位置する伸縮可能な少なくとも２個以上並列する中央維持リンクと、この少なくとも２個以上の中央維持リンクの外側面側に位置するように中央枢支部に枢支された支柱と、この支柱に水平状態でほぼ中央部が固定された先端部が該支柱と前記左右の壁躯体のほぼ中央部に位置する複数個の左右の可動目地プレート支持レールと、この複数個の左の可動目地プレート支持レールにスライド移動可能に取付けられた左のスライド体に取付けられた左の可動目地プレートと、前記複数個の右の可動目地プレート支持レールにスライド移動可能に取付けられた右のスライド体に取付けられた右の可動目地プレートと、前記左右のヒンジ部材あるいは前記中央維持リンクの両端部の枢支部に取付けられた先端部が前記左右の可動目地プレートの外側端部と重なるように覆い、地震等で目地部が広くなると、該左右の可動目地プレートを外方へ引き出すことができる左右の固定目地プレートと、前記支柱あるいは該支柱部位の前記左右の可動目地プレート支持レールに支持台を介してほぼ中央部が固定された両端部が前記左右の固定目地プレートの先端部と重なり合うように覆う中央目地プレートとからなることを特徴とする壁用目地装置。
【発明の詳細な説明】
【技術分野】
【０００１】
本発明は目地部を介して設置された左右の建物の内壁面や外壁面等の壁面間を覆う壁用目地装置に関する。
【背景技術】
【０００２】
従来、左右の建物の壁面間に設置する壁用目地装置は、目地部が狭くなると中央部を内側へ突出させて、その揺れ動きを吸収する構造になっている。
【０００３】
このため、従来の壁用目地装置は左右方向にスライド移動させる機構と、前後方向にスライド移動させる機構を用いているため、構造が複雑で、コスト高になるとともに、そのスライド移動をスムーズにさせずらいという欠点があった。
【特許文献１】特開２０００−１９２５５８
【発明の開示】
【発明が解決しようとする課題】
【０００４】
本発明は以上のような従来の欠点に鑑み、左右の建物間に設置することができるとともに、地震等で異なる前後左右方向に左右の建物が揺れ動いても、左右方向のスライド移動だけのスムーズなスライド移動でその揺れ動きを吸収し、損傷を防止することができる壁用目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は両端部が目地部を介して設置された左右の建物の目地部側の壁躯体に、前後方向に回動可能なヒンジ部材を介して、少なくとも２個以上並列するように取付けられた中央枢支部が常時前記目地部の中央部に位置する伸縮可能な中央維持リンクと、この少なくとも２個以上の中央維持リンクの外側面側に位置するように中央枢支部に枢支された支柱と、この支柱に水平状態で固定された先端部が、該支柱と前記左右の壁躯体のほぼ中央部に位置する複数個の左右の可動目地プレート支持レールと、この複数個の左の可動目地プレート支持レールに左外方へスライド移動可能に取付けられた左の可動目地プレートと、前記複数個の右の可動目地プレート支持レールに右外方へスライド移動可能に取付けられた右の可動目地プレートと、前記ヒンジ部材あるいは前記中央維持リンクの両端部の枢支部に取付けられた先端部が、前記左右の可動目地プレートの外側端部と重なるように覆い、地震等で目地部が広くなると、該左右の可動目地プレートを外方へ引き出すことができる左右の固定目地プレートと、前記支柱あるいは該支柱部位の前記左右の可動目地プレート支持レールに支持台を介してほぼ中央部が固定された両端部が前記左右の固定目地プレートの先端部と重なり合うように覆う中央目地プレートとで壁用目地装置を構成している。
【発明の効果】
【０００７】
以上の説明から明らかなように、本発明にあっては次に列挙する効果が得られる。
【０００８】
（１）地震等によって、目地部が狭くなるように左右の建物が揺れ動いた場合には、左右の固定目地プレートの先端部を中央目地プレートと左右の可動目地プレート間の内部へ侵入して、その揺れ動きを吸収することができ、揺れ動きが停止すると元の状態に自動的に戻すことができる。
【０００９】
（２）地震等によって、目地部が広くなるように左右の建物が揺れ動いた場合には、左右の固定目地プレートの先端部が中央目地プレートの両端部より離れる方向に移動し、左右の可動目地プレートを中央目地プレートの端部より外方へ引き出し、目地部に隙間が生じるのを防止しながらその揺れ動きを吸収することができ、揺れ動きが停止すると左右の固定目地プレートは元の状態に自動的に戻すことができる。
また、引き出された左右の可動目地プレートは引き出された状態、あるいは左右の固定目地プレートが元の状態へ戻る時に、内側へ押し込まれた状態となっている。
【００１０】
（３）前記（１）、（２）によって、左右の建物の異なる左右方向の揺れ動き時には中央目地プレートが目地部の中央部に中央維持リンクによって維持されるとともに、左右の固定目地プレートおよび左右の可動目地プレートが左右方向にスライド移動して、その揺れ動きを吸収することができる。
したがって、左右方向のスライド移動だけで異なる左右方向の揺れ動きを吸収できるため、スムーズに各目地プレートをスライド移動させることができる、
【００１１】
（４）左右の建物の目地部側の壁躯体間に設置することができるとともに、異なる前後方向に左右の建物が揺れ動いた場合には、ヒンジ部材の回動によって、その揺れ動きを吸収することができる。
【００１２】
（５）請求項２も前記（１）〜（４）と同様な効果が得られる。
【発明を実施するための最良の形態】
【００１３】
以下、図面に示す本発明を実施するための最良の形態より、本発明を詳細に説明する。
【００１４】
図１ないし図９に示す本発明を実施するための最良の第１の形態において、１は目地部２を介して設置された左右の建物３、３の内壁あるいは外壁、本発明の実施の形態では内壁躯体３ａ、３ａ間で床用目地装置４と天井用目地装置５間の目地部２を覆う本発明の壁用目地装置で、この壁用目地装置１は前記左右の建物３、３の目地部側の壁躯体３ａ、３ａに複数本のビス６等によって垂直方向に固定されたヒンジ部材７、７と、このヒンジ部材７、７の水平方向に回動する先端部材８、８に少なくとも２個以上並列するように、両端部の枢支部９、９に枢支ピン１０、１０で枢支された中央枢支部１１が常時前記目地部２の中央部に位置する伸縮可能な中央維持リンク１２、１２と、この少なくとも２個以上の中央維持リンク１２、１２の外側面側に位置するように中央枢支部１１、１１に枢支ピン１３、１３で枢支された角パイプ材製の支柱１４と、この支柱１４に水平状態でほぼ中央部が溶接等によって固定された、先端部が該支柱１４と前記左右の壁躯体３ａ、３ａのほぼ中央部に位置する複数個のリップミゾ形鋼形状の左右の可動目地プレート支持レール１５、１６と、この複数個の左の可動目地プレート支持レール１５にスライド移動可能に取付けられた複数個のローラ１７を有するＴ字状の左のスライド体１８に複数本の皿ビス１９等によって取付けられた両端部に前方へ突出する係止部２０、２１を有する左の可動目地プレート２２と、前記複数個の右の可動目地プレート支持レール１６にスライド移動可能に取付けられた複数個のローラ１７を有するＴ字状の右のスライド体１８に複数本の皿ビス１９等によって取付けられた両端部に前方へ突出する係止部２０、２１を有する右の可動目地プレート２３と、前記左右のヒンジ部材７、７の回動する先端部材８、８あるいは前記中央維持リンク１２、１２の両端部の枢支部９、９に取付けられた先端部が、前記左右の可動目地プレート２２、２３の外側端部と重なるように覆い、地震等で目地部２が広くなると該左右の可動目地プレート２２、２３を外方へ係止部２０、２０と先端部の係合片２４、２４が係合して引き出すことができる左右の固定目地プレート２５、２６と、前記支柱１４あるいは該支柱部位の前記左右の可動目地プレート支持レール１５、１６、本発明の実施の形態では支柱１４に固定された複数個の支持台２７を介してほぼ中央部が固定され、両端部が前記左右の固定目地プレート２５、２６の先端部と重なり合うように覆う中央目地プレート２８とで構成されている。
【００１５】
前記ヒンジ部材７、７は図４に示すように、前記壁躯体３ａに複数本のビス６等によって固定される複数個のビス挿入孔２９が形成された固定板３０と、この固定板３０の一端部よりほぼ４５度傾斜するように突出し、先端部が玉縁形状に形成された軸３１と、この軸３１が挿入されるＣ字状の軸受部３２が端部に形成された回動可能な先端部材８とで構成されている。
【００１６】
上記構成の壁用目地装置１は、通常時には図１ないし図３に示すように、中央目地プレート２８は少なくとも２個以上の中央維持リンク１２、１２によって目地部２の中央部に位置し、該中央目地プレート２８と左右の固定目地プレート２５、２６とによって目地部２が覆われた状態となっている。
【００１７】
地震等によって左右の建物３、３が異なる左右方向に揺れ動き、目地部が狭くなると、図７に示すように中央目地プレート２８の中央部は、少なくとも２個以上の中央維持リンク１２、１２によって目地部２の中央部に位置されるとともに、左右の固定目地プレート２５、２６の先端部が中央目地プレート２８と左右の可動目地プレート２２、２３間の内部へ押し込まれ、その揺れ動きを吸収し、揺れ動きが停止すると元の状態に自動的に戻る。
【００１８】
目地部２が広くなるように揺れ動くと、図８に示すように中央目地プレート２８の中央部は少なくとも２個以上の中央維持リンク１２、１２によって目地部２の中央部に位置されるとともに、左右の固定目地プレート２５、２６の係合片２４、２４が左右の可動目地プレート２２、２３の係止部２０、２０と係合して外方へ引き出すように移動し、目地部２を左右の固定目地プレート２５、２６、左右の可動目地プレート２２、２３および中央目地プレート２８で覆った状態で、
その揺れ動きを吸収し、揺れ動きが停止すると中央目地プレート２８および左右の固定目地プレート２５、２６が元の状態に自動的に戻るが、左右の可動目地プレート２２、２３は左右の固定目地プレート２５、２６の係合片２４、２４によって左右の可動目地プレート２２、２３の両端部の係止片２０、２０、２１、２１が係合して移動される部位まで移動した状態となっている。
【００１９】
左右の建物３、３が異なる前後方向に揺れ動いた場合、図９に示すようにヒンジ部材７、７の先端部材８、８が回動するとともに、少なくとも２個以上の中央維持リンク１２、１２の伸縮および左右の可動目地プレート２２、２３の伸縮によって、目地部２を覆った状態でその揺れ動きを吸収する。
[発明を実施するための異なる形態]
【００２０】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０ないし図１２に示す本発明を実施するための第２の形態において、前記
本発明を実施するための最良の第１の形態と主に異なる点は、支持しない方を短くした左右の可動目地プレート支持レール１５Ａ、１６Ａを用いるとともに、枢支ピン３３で枢支したヒンジ部材７Ａ、７Ａを用いた点で、このように構成した壁用目地装置１Ａにしても、前記本発明を実施するための最良の第１の形態と同様な作用効果が得られる。
【００２２】
図１３ないし図１５に示す本発明を実施するための第３の形態において、前記本発明を実施するための最良の第１の形態と主に異なる点は、左右の固定目地プレート２５、２６の先端部に左右の可動目地プレート２２、２３を吸着固定する複数個の磁石３４、３４を設置し、左右の可動目地プレート２２、２３を左右の固定目地プレート２５、２６と一体的に移動させたり、所定以上の力が加わると左右の可動目地プレート２２、２３と左右の固定目地プレート２５、２６とがスライド移動できるようにした点で、このように構成した壁用目地装置１Ｂにしても、前記本発明を実施するための最良の第１の形態と同様な作用効果が得られるとともに、左右の可動目地プレート２２、２３の揺れ動きを磁石３４、３４により効率よく阻止することができる。
【００２３】
図１６ないし図１８に示す本発明を実施するための第４の形態において、前記本発明を実施するための最良の第１の形態と主に異なる点は、左右の可動目地プレート支持レール１５、１６を１本にして兼用した点で、このように構成した壁用目地装置１Ｃにしても、前記本発明を実施するための最良の第１の形態と同様な作用効果が得られるとともに、左右の可動目地プレート支持レール１５、１６の本数を削減して、安価に製造することができる。
【００２４】
図１９ないし図２１に示す本発明を実施するための第５の形態において、前記本発明を実施するための最良の第１の形態と主に異なる点は、中央目地プレート２８を支柱１４に支持台２７を介して固定された複数個の中央目地プレート取り付けバー３５に複数本の皿ビスで固定するとともに、左右の可動目地プレート２２、２３が取付けられたスライド体１８、１８の先端部と左右の固定目地プレート２５、２６の後端部とを引出しワイヤー３６、３６で接続して左右の固定目地プレート２５、２６とが外側に移動する場合に一体的に左右の可動目地プレート２２、２３ガ移動できるようにして中央目地プレート２８と左右の可動目地プレート２２、２３との間の隙間を小さくできるようにした点で、このように構成した壁用目地装置１Ｄにしても、前記本発明を実施するための最良の第１の形態と同様な作用効果が得られる。
なお、引出しワイヤー３６、３６を左右の可動目地プレート２２、２３の先端部に取付けても同様な効果が得られる。
また、引出しワイヤーに換え長孔が形成された板を左右の可動目地プレート２２、２３の先端部、あるいは左右の固定目地プレート２５、２６の後端部に固定し、長孔と係合する係合ピンを左右の固定目地プレート２５、２６の後端部、あるいは左右の可動目地プレート２２、２３の先端部に取付けても同様な作用効果が得られる。
【産業上の利用可能性】
【００２５】
本発明は壁用目地装置を製造する産業および、これを設置する産業で利用される。
【図面の簡単な説明】
【００２６】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態のヒンジ部材の説明図。
【図５】中央目地プレートおよび左の可動目地プレートを外した正面図。
【図６】本発明を実施するための最良の第１の形態のスライド体の説明図。
【図７】本発明を実施するための最良の第１の形態の目地部が狭くなった動作説明図。
【図８】本発明を実施するための最良の第１の形態の目地部が広くなった動作説明図。
【図９】本発明を実施するための最良の第１の形態の異なる前後方向の動作説明図。
【図１０】本発明を実施するための第２の形態の正面図。
【図１１】本発明を実施するための第２の形態の背面図。
【図１２】図１0の１２−１２線に沿う拡大断面図。
【図１３】本発明を実施するための第３の形態の正面図。
【図１４】本発明を実施するための第３の形態の背面図。
【図１５】図１４の１６−１６線に沿う拡大断面図。
【図１６】本発明を実施するための第４の形態の背面図。
【図１７】図１６の１７−１７線に沿う拡大断面図。
【図１８】本発明を実施するための第４の形態の目地部が広くなった動作説明図。
【図１９】本発明を実施するための第５の形態の背面図。
【図２０】図１９の２０−２０線に沿う拡大断面図。
【図２１】本発明を実施するための第５の形態の目地部が広くなった動作説明図。
【符号の説明】
【００２７】
１、１Ａ、１Ｂ、１Ｃ、１D：壁用目地装置、
２：目地部、                  ３：建物、
４：床用目地装置、            ５：天井用目地装置、
６：ビス、                    ７、７Ａ：ヒンジ部材、
８：先端部材、                ９：枢支部、
１０：枢支ピン、              １１：中央枢支部、
１２：中央維持リンク、        １３：枢支ピン、
１４：支柱、
１５、１５Ａ：左の可動目地プレート支持レール、
１６、１６Ａ：右の可動目地プレート支持レール、
１７：ローラ、                １８：スライド体、
１９：皿ビス、                ２０：係止部、
２１：係止部、                ２２：左の可動目地プレート、
２３：右の可動目地プレート、  ２４：係合片、
２５：左の固定目地プレート、  ２６：右の固定目地プレート、
２７：支持台、                ２８：中央目地プレート、
２９：ビス挿入孔、            ３０：固定板、
３１：軸、                    ３２：Ｃ字状の軸受部、
３３：枢支ピン、              ３４：磁石、
３５：中央目地プレート取り付けバー、
３６：引出しワイヤー。
【図１】
2005220550.tif 000003
【図２】
2005220550.tif 000004
【図３】
2005220550.tif 000005
【図４】
2005220550.tif 000006
【図５】
2005220550.tif 000007
【図６】
2005220550.tif 000008
【図７】
2005220550.tif 000009
【図８】
2005220550.tif 000010
【図９】
2005220550.tif 000011
【図１０】
2005220550.tif 000012
【図１１】
2005220550.tif 000013
【図１２】
2005220550.tif 000014
【図１３】
2005220550.tif 000015
【図１４】
2005220550.tif 000016
【図１５】
2005220550.tif 000017
【図１６】
2005220550.tif 000018
【図１７】
2005220550.tif 000019
【図１８】
2005220550.tif 000020
【図１９】
2005220550.tif 000021
【図２０】
2005220550.tif 000022
【図２１】
2005220550.tif 000023